(57)【要約】【課題】定期カード紛失時等に、自動的に定期カードの使用を停止することにより、拾得者の不正使用を防止する。【解決手段】各自動改札装置に、それぞれ固有の自動改札装置番号が割り当て、顧客の定期カードには、通常利用する自動改札装置の前記自動改札装置番号と、通常利用しない前記自動改札装置番号以外の改札口を利用した場合の許容利用回数を記憶しておき、前記定期カードの所有者が紛失した前記定期カードを拾得した第３者が、定期カード内に記憶してある前記通常利用しない自動改札装置以外の自動改札装置を前記許容利用回数以上利用した場合に、当該定期カードを前記自動改札装置にてチェックアウトする。【選択図】  図４
2007310612.tif 000002
【特許請求の範囲】
【請求項１】
鉄道の各停車駅に設置された自動改札装置が、ネットワークを介して鉄道管理サーバに接続された自動改札システムであって、
前記各自動改札装置には、それぞれ固有の自動改札装置番号が割り当てられ、
顧客に発行される定期カードには、通常利用する自動改札装置の前記自動改札装置番号と、通常利用しない前記自動改札装置番号以外の自動改札装置を利用した場合の許容利用回数とが記憶されており、
前記各自動改札装置は、前記定期カード内に記憶されている前記通常利用しない自動改札装置以外の自動改札装置を前記許容利用回数以上利用した場合に、当該定期カードをチェックアウトする手段を有することを特徴とする自動改札システム。
【請求項２】
鉄道の各停車駅に設置された自動改札装置が、ネットワークを介して鉄道管理サーバに接続された自動改札システムにおける定期カード不正使用防止方法であって、
前記各自動改札装置には、それぞれ固有の自動改札装置番号を割り当てておき、
顧客の定期カードには、通常利用する自動改札装置の前記自動改札装置番号と、通常利用しない前記自動改札装置番号以外の改札口を利用した場合の許容利用回数を記憶しておき、
前記定期カードの所有者が紛失した前記定期カードを拾得した第３者が、前記定期カード内に記憶してある前記通常利用しない自動改札装置以外の自動改札装置を前記許容利用回数以上利用した場合に、当該定期カードを前記自動改札装置にてチェックアウトすることを特徴とする定期カード不正使用防止方法。
【請求項３】
前記定期カード内の、前記通常利用しない自動改札装置の前記自動改札装置番号と前記許容利用回数は、前記定期カード発行後に変更可能であることを特徴とする定期カード不正使用防止方法。
【発明の詳細な説明】
【技術分野】
【０００１】
本発明は、自動改札システムおよび定期カード不正使用防止方法に係り、特に、鉄道乗車時に使用する自動改札装置用の定期カードを利用する際に、指定された自動改札装置以外の自動改札装置を規定回数以上連続して使用した場合に、当該定期カードを使用不可とする方法に関する。
【背景技術】
【０００２】
近年、自動改札システムが普及しているが、定期カードの所有者が定期カードを紛失した場合、拾得した第３者が不正使用することが可能である。
【発明の開示】
【発明が解決しようとする課題】
【０００３】
定期カードの所有者が定期カードを紛失した場合、紛失した定期カードを自動的に使用不可とする方法は知られていなかった。
そのため、定期カードを紛失した場合は、所有者が紛失に気づき窓口等に利用停止申請をしなければ、拾得者が上記制限内にて際限なく使用することができてしまうという問題があった。
本発明は、前記従来技術の問題点を解決するためになされたものであり、本発明の目的は、定期カード紛失時等に、自動的に定期カードの使用を停止することにより、拾得者の不正使用を防止することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、自動改札装置に、それぞれ固有の自動改札装置番号を割り当てて個々の自動改札装置を特定できるようにし、前記自動改札装置を利用する顧客の定期カードの中に、通常利用する自動改札装置の自動改札装置番号と、通常利用しない自動改札装置番号以外の自動改札装置を利用した場合の許容利用回数とを記憶しておき、かつ、前記自動改札装置番号と前記許容利用回数を、前記定期カード発行後も、任意の時期に指定の窓口で変更可能とすることにより、前記定期カードの所有者が、前記定期カードを紛失し、拾得した第３者が、前記定期カード内に記録してある指定の自動改札口番号以外の改札口を前記許容利用回数以上利用した場合に当該定期カードを自動改札装置にてチェックアウトすることを特徴とする。
【発明の効果】
【０００５】
本願において開示される発明のうち代表的なものによって得られる効果を簡単に説明すれば、下記の通りである。
本発明によれば、事前に登録されていない自動改札装置を登録回数以上通過した場合に、自動的に定期カードの使用を停止することにより、カード紛失時に拾得者の不正使用を防止することが可能である。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例の自動改札システムに使用される自動改札装置の概略構成を示すブロック図である。
同図において、１００は自動改札装置、１０１はインターネットに接続するための通信回線、１０２はトランスミッタ／レシーバ、１０３は自動改札装置１００の中枢をコントロールする制御部、１０４は定期カードの磁気記録媒体に対して読取、書込みを行うカード・読取／書込部、１０５は定期カードの読取／書込を行うためのカード出入口、１０６は定期カード自体に各種データを印字するカード印字部、１０７は主記憶装置部、１０８は自動改札装置の各種アプリケーションやデータベースを格納する補助記憶装置部、１０９は自動改札装置全体に電源を供給する電源部である。
なお、本実施例の自動改札装置１００は、鉄道の各停車駅に設置されるとともに、インターネットを介して鉄道管理サーバに接続されている。また、複数の自動改札装置１００のそれぞれには、それぞれ固有の自動改札装置番号が割り当てられている。
【０００７】
図２は、本実施例の自動改札システムに使用される定期カードの裏面側の外観構造図を説明する図である。
同図において、２００は定期カード、２０１は定期カード自体に各種データを印字するためのカード印字エリア、２０２は定期カードに各種情報を記録するためのカード磁気記録媒体を示す。
図３は、本実施例の自動改札システムにおいて使用される定期カードの磁気記録フォーマットを示す図である。
同図において、３００は定期カード記録フォーマット、３０１は定期カードを特定する識別番号情報、３０２は定期カード使用期限・定期カード使用可能範囲情報、３０３は定期カード利用許可駅情報、３０４は許容利用回数情報、３０５は許容利用回数フラグ情報、３０６は定期カード所有者情報である。
定期カード利用許可駅情報３０３、および許容利用回数情報３０４は、窓口において定期カードに記憶される。また、定期カードに記録されている定期カード利用許可駅情報３０３と、許容利用回数情報３０４は、定期カード発行後も、任意の時期に指定の窓口において変更することが可能である。
さらに、定期カード利用許可駅情報３０３、および許容利用回数情報３０４は、鉄道管理サーバに登録される。
【０００８】
図４は、本実施例の自動改札システムにおける自動改札装置の処理手順を示すフローチャートである。
自動改札装置１００の通過を検出すると（ステップ４０１）、定期カードの使用か否かを判定し（ステップ４０２）、定期カード使用でない場合は処理を終了する。
定期カードによる改札通過が発生した場合は、定期カードに記録されている定期カード識別番号情報３０１、定期カード使用期限・定期カード使用可能範囲情報３０２から、定期カード識別番号、定期カード使用期限・定期カード使用可能範囲を読み取る（ステップ４０３）。
そして、まず始めに、取得したカード使用期限、カード使用可能範囲を元に、定期カードが、正常に利用できる状態であること、即ち、使用期間内か、使用範囲内かを確認する（ステップ４０４、ステップ４０５）。
ステップ４０４、ステップ４０５において、定期カードが使用不可である場合は、ブザー鳴動、ゲートクローズ処理を実行し、改札不通過とする。
ステップ４０４、ステップ４０５において、定期カードが使用可能である場合には、登録されている定期カード識別番号の許容利用回数フラグ情報３０５の値と、定期カードに事前に登録された許容利用回数情報３０４の値とを比較する（ステップ４０６）。
ステップ４０６において、当該定期カードの許容利用回数フラグが、許容利用回数以上であった場合は、ステップ４１２の改札通過不許可処理が実行され、カード所有者は改札を通過できなくなる。
【０００９】
定期カードの許容利用回数フラグの値が、許容利用回数未満である場合には、当該自動改札装置番号が、定期カード利用許可駅情報３０３に登録されている事前登録自動改札装置番号であるか否かを確認する（ステップ４０７）。
ステップ４０７において、事前登録自動改札装置であることが判明した場合、所有者が正規の所有者であるとみなし、過去にカウントアップされた許容利用回数フラグを「０」にクリアした後、正常に改札を通過させる（ステップ４０８）。
ステップ４０７において、事前登録自動改札装置でないと判断された場合、許容利用回数フラグを１カウントアップする（ステップ４０９）。
そのカウントアップの結果、許容利用回数フラグと許容利用回数が等しくなった場合は、ステップ４１２の改札通過不許可処理が実行され、カード所有者は改札を通過できなくなる。
カウントアップされた結果でも許容利用回数フラグが許容利用回数未満であった場合には、改札通過が許可されるが、警告ブザーにて利用者に注意喚起を行う（ステップ４１１）。
【００１０】
以上説明したように、本実施例では、事前に使用可能な自動改札装置を登録し、定期カード拾得者が登録されていない自動改札装置を登録回数以上通過した場合、自動的に定期カードの使用を停止することによって、カード紛失時に拾得者が不正に使用できないようにして、定期カード拾得者の不正使用防止する。
また、前述の説明では、定期カードとして磁気カードを使用する場合について説明したが、定期カードは、ＩＣカードであっても構わない。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例の自動改札システムに使用される自動改札装置の概略構成を示すブロック図である。
【図２】本発明の実施例の自動改札システムに使用される定期カードの裏面側の外観構造図を説明する図である。
【図３】本発明の実施例の自動改札システムに使用される定期カードの記録フォーマットを説明する図である。
【図４】本発明の実施例の自動改札システムにおける自動改札装置の処理手順を示すフローチャートである。
【符号の説明】
【００１２】
１００  自動改札装置
１０１  通信回線
１０２  トランスミッタ／レシーバ
１０３  制御部
１０４  カード・読取／書込部
１０５  カード出入口
１０６  カード印字部
１０７  主記憶装置部（ＲＡＭ）
１０８  補助記憶装置部（ＨＤＤ）
１０９  電源部
２００  カード
２０１  カード印字エリア
２０２  カード磁気記憶媒体
３００  定期カード記録フォーマット
３０１  定期カード識別番号情報
３０２  定期カード使用期限・定期カード使用可能範囲情報
３０３  定期カード利用許可駅情報
３０４  許容利用回数情報
３０５  許容利用回数フラグ情報
３０６  定期カード所有者情報
【図１】
2007310612.tif 000003
【図２】
2007310612.tif 000004
【図３】
2007310612.tif 000005
【図４】
2007310612.tif 000006